(57)【要約】【課題】内容物の品質を長期間維持できる合成樹脂製のデラミボトルを提案する。【解決手段】筒状の口部1aを有し、ボトルの外観を形作る外殻1と、この外殻1の内側に積層配置され、外殻胴体部分のスクイズによる減容化にてその内部に収納した内容物を該口部1aを通して注出する内袋2とを備え、該内袋を外殻に対して剥離可能に形成した合成樹脂製ボトルにおいて、前記ボトルに、外殻1の口部外側壁に着脱自在にねじ止めして該口部1aを密封するキャップ3を設ける。キャップ3は、外殻1の口部1aに対面する天面壁3aと、この天面壁3aにつながり該口部1aの側壁を囲撓してその内側に格納空間を形成する周壁3bからなるものとして、該周壁の内側下端部に、一端が周壁に固定されており、他端に向かって周壁内面との間に隙間を形成しつつ延設されたシール壁が口部1aの側壁基部に弾性的に当接して該格納空間Mと外界とを遮断する下窄まりの断面形状をなす環状帯4を設ける。【選択図】図１
2007320644.tif 000002
【特許請求の範囲】
【請求項１】
筒状の口部を有し、ボトルの外観を形作る外殻と、この外殻の内側に積層配置され、外殻胴体部分のスクイズによる減容化にてその内部に収納した内容物を該口部を通して注出する内袋とを備え、該内袋を外殻に対して剥離可能に形成した合成樹脂製ボトルであって、
前記ボトルに、外殻の口部外側壁に着脱自在にねじ止めして該口部を密封するキャップを設け、
該キャップは、口部に対面する天面壁と、この天面壁につながり該口部の側壁を囲撓してその内側に格納空間を形成する周壁からなり、
該周壁の内側下端部に、一端が周壁に固定されており、他端に向かって周壁内面との間に隙間を形成しつつ延設されたシール壁が口部の側壁基部に弾性的に当接して該格納空間と外界とを遮断する環状帯を設けたことを特徴とする合成樹脂製ボトル。
【発明の詳細な説明】
【技術分野】
【０００１】
本発明は、内袋が外殻に対して剥離可能に形成された合成樹脂製ボトルに関するもので、内袋から透過する内容物の揮発成分等や内袋内に侵入する水蒸気等による影響等を回避しようとするものである。
【背景技術】
【０００２】
外殻胴体部分のスクイズにしたがい内袋を減容させて内容物を注出する内袋が外殻に対して剥離可能に形成されたボトル（以下、デラミボトルという。）は、内容物の注出に伴う内圧の減少により、外殻の口部側壁に設けられた空気孔を通して外殻と内袋との相互間に空気を取り込んで該内袋を外殻から剥離させるとともに外殻のみを元の形状に復元するようにしている。
【０００３】
この種のボトルは、毛染め剤や化粧料、薬品等の充填ボトルとして近年幅広い分野で多用されており、その開封前は、口部に着脱自在にねじ止めされるキャップによって確実なシールが施されているが、ボトルの開封前であるにもかかわらず、空気孔を通して入り込んだ水蒸気等が該内袋を透過して内容物の品質を劣化させたり、内容物の揮散成分が内袋を透過して空気孔から外界へと放出されることが懸念されていた。
【０００４】
この点に関しては、内袋そのもののガスバリア性を高める等の工夫がなされていて、ある程度の改善が図られてはいるものの、製造コストの上昇が避けられず、未だ改善の余地が残されていた（例えば特許文献1参照）。
【特許文献１】特開2003-12012号公報
【発明の開示】
【発明が解決しようとする課題】
【０００５】
本発明の課題は、外殻に設けられた空気孔に起因した従来の不具合（水蒸気等の外気に起因した内容物の品質劣化、内容物の揮発成分等の透過による内容物の減量等）を解消できる新規な合成樹脂製デラミボトルを提案するところにある。
【課題を解決するための手段】
【０００６】
本発明は、筒状の口部を有し、ボトルの外観を形作る外殻と、この外殻の内側に積層配置され、外殻胴体部分のスクイズによる減容化にてその内部に収納した内容物を該口部を通して注出する内袋とを備え、該内袋を外殻に対して剥離可能に形成した合成樹脂製ボトルであって、      
前記ボトルに、外殻の口部外側壁に着脱自在にねじ止めして該口部を密封するキャップを設け、
該キャップは、外殻の口部に対面する天面壁と、この天面壁につながり該口部の側壁を囲撓してその内側に格納空間を形成する周壁からなり、
該周壁の内側下端部に、一端が周壁に固定されており、他端に向かって周壁内面との間に隙間を形成しつつ延設されたシール壁が口部の側壁基部に弾性的に当接して該格納空間と外界とを遮断する環状帯を設けたことを特徴とする合成樹脂製ボトルである。
【発明の効果】
【０００７】
キャップの内側下端面に、一端が周壁に固定され、他端に向かって周壁内面との間に隙間を形成しつつ延設されたシール壁が口部の側壁基部に弾性変位可能に当接する環状帯を設けることにより、キャップの格納空間は外界から遮断され、空気孔を通して入り込んだ水蒸気等の外気が内袋を透過したり、内容物の揮散成分等が放出される不具合がほとんどなくなり、内容物の品質の安定化が可能となる。
【発明を実施するための最良の形態】
【０００８】
以下、図面を参照して本発明をより具体的に説明する。
図1は本発明に従う合成樹脂製のデラミボトルであり、図2は図1の要部を拡大して示した図である。
【０００９】
図における1はボトルの外観を形作る外殻である。この外殻1は円筒状の口部1aを有していて、その壁部には空気導入用の孔nが形成されている。また、2は外殻1の内側に配置された内袋である。この内袋2は内容物を収納するもので、外殻1をスクイズすることにより減容化して口部1aから注出することができるようになっている。
【００１０】
3は外殻1の口部外側壁に着脱自在にねじ止めして該口部1aを密封するキャップである。このキャップ3は外殻1の口部1aに対面して開口部分を塞ぐ天面壁3aと、この天面壁3aにつながり口部1aの側壁を囲撓してその内側に格納空間Mを形成する周壁3bからなる。
【００１１】
4は周壁3bの内側下端部において一体的に設けられた下窄まりの断面形状をなす環状帯である。この環状帯4はその上端部が周壁3bにつながりそこを支点に弾性変位可能になっていて、キャップ3を装着したときにその下端部が口部1aの側壁基部1bに当接して格納空間Mが外界から遮断されて孔ｎからの水蒸気等の外気の侵入を防止する。さらに、5は口部1aの端面と天面壁3aとの間で挟持されるシール用のパッキンである。
【００１２】
上記の構成になるデラミボトルは、開封前の状態においては、キャップ3の格納空間Mは環状帯4によって外界から遮断されているため、孔ｎを通して水蒸気等の外気が侵入するのを抑制することができるだけでなく、内容物の揮散成分等の放出を防ぐことが可能となり、内袋2内の内容物の品質は保たれる。
【００１３】
外殻1はスクイズに際して容易に元の形状に復元することができる、例えば、高密度内袋2はスクイズに際して容易に減容できる、例えば、低密度ポリエチレン、ナイロン、エチレン-ビニルアルコール共重合体等にて構成するのがよい。キャップ3については、環状帯4の確実な弾性変位を導くために高密度ポリエチレン、ポリプロピレン等にて構成する。
【産業上の利用可能性】
【００１４】
内袋への外気（水蒸気等）の透過、侵入に起因した内容物の品質劣化や内容物の揮散成分等の透過、放出が抑制できるデラミタイプの合成樹脂製ボトルが提供できる。
【図面の簡単な説明】
【００１５】
【図１】本発明に従う合成樹脂製ボトルの実施の形態を示した図である。
【図２】図1に示したボトルの要部拡大図である。
【符号の説明】
【００１６】
1  外殻
1a  口部
1b  側壁基部
2  内袋
3  キャップ
3a  天面壁
3b  周壁
4  環状帯
n  孔
M  格納空間
【図１】
2007320644.tif 000003
【図２】
2007320644.tif 000004